(57)【要約】【課題】カートン内に大量の蟻等が侵入してしまうことを抑制することが可能な衛生用紙収納用カートンを提供する。【解決手段】天面部２、底面部４、一対の側面部６及び一対の妻面部８を有し、天面部２に環状の取出口形成用切込線１０が形成されて、天面部２に取出口形成用切込線１０によって区画された切取部２２が形成されたカートン本体１２と、衛生用紙を取り出すためのスリット１６が形成され、天面部２の内向面に、切取部２２を覆うように貼り付けられた透明なウインドウフィルム１４とを備え、ウインドウフィルム１４が、スリット１６が形成された中央領域の曲げ剛性に比して、この中央領域を囲う外周領域における、少なくとも天面部２の内向面に貼り付けられた部位の曲げ剛性が高くなるように構成されている衛生用紙収納用カートン１。【選択図】図１Ａ
2014005064.tif 000002
【特許請求の範囲】
【請求項１】
天面部、底面部、一対の側面部及び一対の妻面部を有し、前記天面部、前記底面部、前記側面部及び前記妻面部によって衛生用紙を封入する内部空間が形成され、前記天面部に環状の取出口形成用切込線が形成されて、前記天面部に前記取出口形成用切込線によって区画された切取部が形成されたカートン本体と、
前記衛生用紙を取り出すためのスリットが中央領域に形成され、前記天面部の内向面に、前記切取部を覆うように貼り付けられた透明なウインドウフィルムと、を備え、
前記ウインドウフィルムが、前記スリットが形成された前記中央領域の曲げ剛性に比して、前記中央領域を囲う外周領域における、少なくとも前記天面部の内向面に貼り付けられた部位の曲げ剛性が高くなるように構成されている衛生用紙収納用カートン。
【請求項２】
前記ウインドウフィルムの少なくとも前記天面部の内向面に貼り付けられた部位に部分的に熱処理が施され、当該熱処理が施された部位が硬化して前記中央領域の曲げ剛性に比して曲げ剛性が高くなっている請求項１に記載の衛生用紙収納用カートン。
【請求項３】
前記ウインドウフィルムの少なくとも前記天面部の内向面に貼り付けられた部位が、部分的に複数のフィルムの積層体からなり、当該複数のフィルムの積層体からなる部位の曲げ剛性が、前記スリットが形成された前記中央領域の曲げ剛性に比して高くなっている請求項１又は２に記載の衛生用紙収納用カートン。
【請求項４】
複数の衛生用紙が折り重ねられた衛生用紙束と、
請求項１〜３のいずれか一項に記載の衛生用紙収納用カートンと、を備え、
前記衛生用紙収納用カートンの前記内部空間に、前記衛生用紙束が封入されているカートン入り衛生用紙。
【発明の詳細な説明】
【技術分野】
【０００１】
本発明は、ティシュペーパー等の衛生用紙を収納するためのカートンに関するものである。より具体的には、カートン内に大量の蟻等が侵入してしまうことを抑制することが可能な衛生用紙収納用カートン及びカートン入り衛生用紙に関するものである。
【背景技術】
【０００２】
ティシュペーパー等の衛生用紙は、ボックスティシュのようにカートンに収納された状態で市販される場合がある（カートン入り衛生用紙）。このカートンは天面部に取出口を形成するための切込線（ミシン目等）が形成されていて、この切込線を破断しカートンを開封すると、カートン内部に収納された衛生用紙を取り出せるように構成されている。
【０００３】
このようなカートン入り衛生用紙に蟻が集り、蟻がカートン内に侵入するという問題があった。この蟻は体長２ｍｍ程度の黒色の蟻で、西日本に多く生息する「ルリアリ」であることが確認されている。このような問題は衛生用紙中の成分が蟻を誘引することにより起こるのではなく、樹皮の裏等の狭い隙間に巣を作るルリアリの習性により起こると言われている。即ち、上記問題は暗いカートン内に木材パルプからなる衛生用紙が集積されたカートン入り衛生用紙の構造が樹皮の裏等の構造に似ており、そのような環境をルリアリが好むために起こると考えられている。
【０００４】
このような問題の対応策としては、防蟻剤を用いることが提案されている。例えば、防蟻剤を含有するグルー（糊）や印刷インクを用いてティシュ収納箱を製造すること（特許文献１）や、その表面や内部に防蟻剤を含有させた防蟻カバーによりカートン底面を覆うこと（特許文献２）が提案されている。
【先行技術文献】
【特許文献】
【０００５】
【特許文献１】特開２００１−１２２３４７号公報
【特許文献２】特開２０１０−０４７２８２号公報
【発明の概要】
【発明が解決しようとする課題】
【０００６】
しかしながら、特許文献１又は２に記載のように防蟻剤を用いた場合でも、カートン内に蟻が侵入する事態を有効に防止することはできなかった。
【０００７】
本発明は、このような従来技術の課題を解決するためになされたものである。即ち、本発明は、カートン内に大量の蟻等が侵入してしまうことを抑制することが可能な衛生用紙収納用カートン及びカートン入り衛生用紙を提供するものである。
【課題を解決するための手段】
【０００８】
本発明者は上記課題を解決すべく鋭意検討した。上述したように、ルリアリ等の蟻のカートン内への侵入は、カートン内が暗く、このカートン入り衛生用紙の構造が樹皮の裏等の構造に似ているため、カートン内にて蟻が巣作りを行っているからと考えられている。そのため、例えば、カートン内に１匹の蟻が侵入してしまうと、カートン内での巣作りのために、大量の蟻がカートン内に呼び寄せられてしまう（別言すれば、大量の蟻がカートン内に居ついてしまう）事態に発展する。逆に、カートン内が、蟻の巣作りに適していない条件であれば、仮に、１匹の蟻がカートン内に侵入したとしても、カートン内に侵入した蟻が、他の蟻を呼び寄せることはなく、カートン内に大量の蟻が居ついてしまうような事態には発展しないと推察される。
【０００９】
カートン内を、蟻の巣作りに適していない環境とする方法として、例えば、開封したカートンの取出口から採光する光の量を多くして、カートン内を明るくすることが考えられる。カートンの取出口から採光する光の量を多くするためには、カートンの取出口を大きくする必要がある。但し、取出口を大きくすると、カートンの取出口から埃等が侵入し易くなってしまうため、埃等が侵入しないための対策が別途必要となる。従来、取出口が形成された面の内側に、衛生用紙を取り出すためのスリットが形成されたウインドウフィルムを貼り付け、このウインドウフィルムにより、埃等の侵入を防止するとともに、衛生用紙を外部に取出す際に、フィルムのスリット間での摩擦により、ポップアップした衛生用紙を箱の内部に落ち込むことを防ぐ技術も提案されている。しかしながら、ウインドウフィルムは、ポリエチレンフィルム等の柔軟なシートであるため、カートンの取出口を大きくすると、ウインドウフィルムの中央部分がカートン内に垂れ下がり、その結果、ポップアップした衛生用紙をその姿勢に保持できず、衛生用紙が倒れて取り出し難くなる。
【００１０】
そこで、ウインドウフィルムを、スリットが形成された中央領域の曲げ剛性に比して、中央領域を囲う外周領域における、少なくとも天面部の内向面に貼り付けられた部位の曲げ剛性が高くなるような構成とすることで、上記課題を解決し得ることに想到し、本発明を完成するに至った。即ち上記構成を採用することで、カートン内を蟻の巣作りに適さない環境を作り出すために、カートンの取出口を大きく形成することができ、且つ、上述したように、カートンの取出口を大きくしたとしても、ウインドウフィルムの中央部分がカートン内に垂れ下がり難くなり、また、ウインドウフィルムに形成されたスリットからの衛生用紙の取り出しも容易となる。本発明によれば、以下の衛生用紙収納用カートン及びカートン入り衛生用紙が提供される。
【００１１】
［１］  天面部、底面部、一対の側面部及び一対の妻面部を有し、前記天面部、前記底面部、前記側面部及び前記妻面部によって衛生用紙を封入する内部空間が形成され、前記天面部に環状の取出口形成用切込線が形成されて、前記天面部に前記取出口形成用切込線によって区画された切取部が形成されたカートン本体と、前記衛生用紙を取り出すためのスリットが中央領域に形成され、前記天面部の内向面に、前記切取部を覆うように貼り付けられた透明なウインドウフィルムと、を備え、前記ウインドウフィルムが、前記スリットが形成された前記中央領域の曲げ剛性に比して、前記中央領域を囲う外周領域における、少なくとも前記天面部の内向面に貼り付けられた部位の曲げ剛性が高くなるように構成されている衛生用紙収納用カートン。
【００１２】
［２］  前記ウインドウフィルムの少なくとも前記天面部の内向面に貼り付けられた部位に部分的に熱処理が施され、当該熱処理が施された部位が硬化して前記中央領域の曲げ剛性に比して曲げ剛性が高くなっている前記［１］に記載の衛生用紙収納用カートン。
【００１３】
［３］  前記ウインドウフィルムの少なくとも前記天面部の内向面に貼り付けられた部位が、部分的に複数のフィルムの積層体からなり、当該複数のフィルムの積層体からなる部位の曲げ剛性が、前記スリットが形成された前記中央領域の曲げ剛性に比して高くなっている前記［１］又は［２］に記載の衛生用紙収納用カートン。
【００１４】
［４］  複数の衛生用紙が折り重ねられた衛生用紙束と、前記［１］〜［３］のいずれかに記載の衛生用紙収納用カートンと、を備え、前記衛生用紙収納用カートンの前記内部空間に、前記衛生用紙束が封入されているカートン入り衛生用紙。
【発明の効果】
【００１５】
本発明の衛生用紙収納用カートン及びカートン入り衛生用紙は、カートンの取出口を大きくしたとしても、ウインドウフィルムの中央部分がカートン内に垂れ下がり難く、衛生用紙を取り出し難くなる等の不都合を生ずることなく、カートン内に大量の蟻等が侵入してしまうことを抑制することができる。
【図面の簡単な説明】
【００１６】
【図１Ａ】本発明の衛生用紙収納用カートンの一の実施形態を模式的に示す斜視図である。
【図１Ｂ】図１Ａに示す衛生用紙収納用カートンの使用状態を模式的に示す斜視図である。
【図１Ｃ】図１Ｂに示す衛生用紙収納用カートンの天面部を模式的に示す平面図である。
【図１Ｄ】図１Ｂに示す衛生用紙収納用カートンの天面部の内向面を模式的に示す平面図である。
【図２】本発明の衛生用紙収納用カートンの一の実施形態に用いられるウインドウフィルムを模式的に示す平面図である。
【図３Ａ】図１Ａに示す衛生用紙収納用カートンの中間体であるカートンブランクを模式的に示す平面図である。
【図３Ｂ】図３Ａに示すカートンブランクの裏面を模式的に示す裏面図である。
【図４Ａ】図１Ａに示す衛生用紙収納用カートンを製造する工程（角筒状カートン組立工程）を模式的に示す斜視図である。
【図４Ｂ】図１Ａに示す衛生用紙収納用カートンを製造する工程（衛生用紙束収納工程）を模式的に示す斜視図である。
【図４Ｃ】図１Ａに示す衛生用紙収納用カートンを製造する工程（カートン組立工程）を模式的に示す斜視図である。
【発明を実施するための形態】
【００１７】
以下、本発明の衛生用紙収納用カートン及びカートン入り衛生用紙を実施するための形態について、図面を参照しながら具体的に説明する。但し、本発明はその発明特定事項を備える衛生用紙収納用カートン等を広く包含するものであり、以下の実施形態に限定されるものではない。
【００１８】
（１）衛生用紙収納用カートン：
まず、本発明の衛生用紙収納用カートンの一の実施形態について説明する。本実施形態の衛生用紙収納用カートンは、図１Ａ〜図１Ｄに示す衛生用紙収納用カートン１のように、カートン本体１２と、透明なウインドウフィルム１４とを備えたものである。図１Ａは、本発明の衛生用紙収納用カートンの一の実施形態を模式的に示す斜視図である。図１Ｂは、図１Ａに示す衛生用紙収納用カートン１の使用状態を模式的に示す斜視図である。図１Ｂに示す衛生用紙収納用カートン１の使用状態とは、衛生用紙収納用カートン１の取出口形成用切込線１０を破断し、切取部２２を切除することで、カートン本体１２の天面部２に取出口１８が形成された状態のことである。図１Ｃは、図１Ｂに示す衛生用紙収納用カートンの天面部を模式的に示す平面図である。図１Ｄは、図１Ｂに示す衛生用紙収納用カートンの天面部の内向面を模式的に示す平面図である。
【００１９】
カートン本体１２は、天面部２、底面部４、一対の側面部６（６ａ，６ｂ）及び一対の妻面部８（８ａ，８ｂ）を有している。このようなカートン本体１２は、上記した天面部２、底面部４、側面部６及び妻面部８によって衛生用紙を封入する内部空間が形成されている。また、カートン本体１２の天面部２には、取出口形成用切込線１０によって区画された切取部２２が形成されている。
【００２０】
ウインドウフィルム１４は、光を透過可能に透明な構成であればよく、無色透明に限らず、有色透明であってもよいが、無色透明であることが好ましい。ウインドウフィルム１４は、図２に示すように、衛生用紙を取り出すためのスリット１６が、ウインドウフィルム１４の中央領域３２に形成されている。そして、このウインドウフィルム１４は、図１Ａ〜図１Ｄに示すように、カートン本体１２の天面部２の内向面に、切取部２２を覆うように貼り付けられている。即ち、ウインドウフィルム１４は、少なくとも取出口形成用切込線１０によって区画された範囲を覆うように、天面部２の内向面に貼り付けられている。ウインドウフィルム１４のスリット１６は、衛生用紙収納用カートン１を開封した際に、取出口１８から外部空間に露出している部分（露出部）に形成されている。図２は、本発明の衛生用紙収納用カートンの一の実施形態に用いられるウインドウフィルムを模式的に示す平面図である。
【００２１】
本実施形態の衛生用紙収納用カートン１においては、ウインドウフィルム１４が、スリット１６が形成された中央領域３２の曲げ剛性に比して、中央領域３２を囲う外周領域３４における、少なくとも天面部２の内向面に貼り付けられた部位の曲げ剛性が高くなるように構成されている。中央領域３２と外周領域３４との境界は、取出口１８の内周縁とスリット１６との間に設定されることが好ましい。
【００２２】
このように構成することによって、カートン本体１２の取出口１８の大きさを大きくしたとしても、ウインドウフィルム１４の中央部分（例えば、ウインドウフィルム１４の中央領域３２）がカートン本体１２内に垂れ下がり難くなる。更に、スリット１６が形成された中央領域３２の曲げ剛性は、外周領域３４の曲げ剛性に比して低くなるため、ウインドウフィルム１４に形成されたスリット１６からの衛生用紙の取り出しも容易となる。そして、上述したように、カートン本体１２の取出口１８の大きさを大きくすることで、カートン本体１２の取出口１８からウインドウフィルム１４を通して採光する光の量を多くすることでき、カートン本体１２内に蟻の巣作りに適さない環境を作り出すことができ、カートン本体１２内に大量の蟻等が侵入してしまうことを抑制することができる。
【００２３】
ウインドウフィルム１４のスリット１６が形成された中央領域３２とは、スリット１６と当該スリット１６近傍を含む、ウインドウフィルム１４の中央の領域のことをいう。この中央領域３２は、カートン本体１２の取出口１８が形成された領域に位置することが好ましい。一方、ウインドウフィルム１４の外周領域３４とは、上記ウインドウフィルム１４の中央領域３２を囲う外側の領域のことをいう。外周領域３４には、少なくともウインドウフィルム１４が、天面部２の内向面に貼り付けられた部位を含むことが好ましい。本実施形態の衛生用紙収納用カートン１は、ウインドウフィルム１４の外周領域３４の天面部２の内向面に貼り付けられた部位の曲げ剛性が高くなっているため、ウインドウフィルム１４が撓み難い。従って、上述したように、ウインドウフィルム１４の中央部分がカートン本体１２内に垂れ下がり難くなり、衛生用紙が取り出し難くなるという不都合を生じることがない。すなわち、ウインドウフィルムの中央部分がカートン本体内に垂れ下がると、ポップアップした衛生用紙をその姿勢に保持できず、衛生用紙が倒れて取り出し難くなるが、そのよう不都合を生じない。中央領域３２と外周領域３４との境界は、ウインドウフィルム１４の中央部分をカートン本体１２内に垂れ下がり難くするという理由上、取出口１８の内周縁とスリット１６との間に設定することが好ましい。
【００２４】
曲げ剛性とは、曲げ力に対する、寸法変化（撓み変形）のしづらさの度合いのことを意味する。例えば、「一の部位よりも、他の部位の曲げ剛性が高い」という場合には、曲げ力が作用した際に、一の部位の寸法変化（撓み量）よりも、他の部位の寸法変化（撓み量）が小さくなる。   
【００２５】
以下、本実施形態の衛生用紙収納用カートン１の構成を、各構成要素毎に更に詳細に説明する。
【００２６】
（１−１）カートン本体：
カートン本体１２は、天面部２、底面部４、一対の側面部６及び一対の妻面部８という６枚のパネルを有する箱体であり、六面体状（直方体状）に構成されている。但し、カートン本体１２の形状は直方体状に限定されるものではなく、例えば立方体状等であってもよい。
【００２７】
カートン本体１２は、天面部２、底面部４、側面部６及び妻面部８によって衛生用紙を封入する内部空間が形成されている。この内部空間に衛生用紙が収納される。
【００２８】
カートン本体１２は、折り曲げ加工により組み立てることが一般的である。従って、厚紙等の紙材料を構成材料とすることが好ましい。これらの紙材料としては、木材パルプ、古紙等を原料として製造されたものを好適に用いることができる。
【００２９】
（１−１ａ）取出口形成用切込線：
図１Ａ〜図１Ｄに示す衛生用紙収納用カートン１は、カートン本体１２の天面部２に環状の取出口形成用切込線１０が形成されている。そして、天面部２に取出口形成用切込線１０によって区画された切取部２２が形成されている。取出口形成用切込線１０を破断し、切取部２２を切除することで、カートン本体１２の天面部２に取出口１８が形成される。
【００３０】
ここにいう「環状」とは、一定の領域を包囲する閉じた形状を意味する。即ち、円環状には限られず、楕円形状、長円形状、矩形状、菱形状、その他の多角形状等であってもよい。例えば、図１Ａ〜図１Ｄに示すカートン本体１２は天面部２に略矩形状の切取部２２を包囲する閉じた形状に取出口形成用切込線１０が形成されている。一般に、カートン本体１２は直方体状に形成され、その天面部は矩形状であることが多い。従って、切取部２２の形状は天面部２の長手方向に沿った横長形状とすることが好ましい。
【００３１】
本実施形態の衛生用紙収納用カートン１は、上述したように、ウインドウフィルム１４の中央部分がカートン本体１２内に垂れ下がり難くなっている。このため、本実施形態の衛生用紙収納用カートン１においては、従来の衛生用紙収納用カートンと比較して、取出口形成用切込線１０によって区画された切取部２２の大きさを不都合なく大きくすることができる。例えば、従来の衛生用紙収納用カートンにおいては、切取部の面積を大きくすると、ウインドウフィルムの中央部分がカートン本体内に垂れ下がり、ポップアップした衛生用紙をその姿勢に保持できず、衛生用紙が倒れて取り出し難くなるという不都合が生じる。カートン本体１２内で蟻が巣作りをよりし難くするためには、取出口１８からウインドウフィルム１４を通して採光する光の量を多くすることが好ましい。このため、本実施形態の衛生用紙収納用カートン１においては、天面部の面積Ｓ１に対する、切取部２２の面積Ｓ２（別言すれば、取出口１８の面積）の比率（Ｓ２／Ｓ１×１００）が、３０〜７５％であることが好ましい。
【００３２】
取出口形成用切込線１０は、ミシン目に限られず、比較的長い切れ目（スリット）が断続的に配置されたものであってもよい。また、ジッパーと称される切れ目が鉤形に屈曲した開封用破断線（包装産業の周知・慣用技術集第２８１頁参照、昭和５３年１２月２０日特許庁発行）や、２重のミシン目であってもよい。
【００３３】
（１−２）ウインドウフィルム：
図１Ａ〜図１Ｄに示す衛生用紙収納用カートン１は、天面部２の内向面に、切取部２２を覆うように貼り付けられたウインドウフィルム１４を備えている。このウインドウフィルム１４によって、衛生用紙収納用カートン１の内部に収納された衛生用紙に外部の塵や異物が付着することを防止することができる。
【００３４】
ウインドウフィルム１４は、例えば、ポリエチレン、ポリプロピレン、ポリ塩化ビニル、ポリエステル、ポリビニルアルコール等のプラスチック；グラシン紙、クラフト紙、ケント紙、インディア紙等の印刷用紙、書道用紙、包装紙、加工原紙等の紙；等により構成することができる。
【００３５】
「切取部２２を覆うように貼り付けられた」とは、切取部２２の面積に比してウインドウフィルム１４の面積が大きいこと、及びウインドウフィルム１４が切取部２２の全部と重畳する位置に貼り付けられていること、を意味する。ウインドウフィルム１４は、天面部２の内向面に、ホットメルト等の接着剤によって貼り付けられている。ウインドウフィルム１４と天面部２の内向面とが接着される接着部分の形状については、特に制限はなく、例えば、切取部２２を囲うように環状の接着部分が配置されていてもよいし、切取部２２の周囲に、間欠的に接着部分が配置されていてもよい。
【００３６】
ウインドウフィルム１４の形状は特に限定されない。但し、切取部２２（ひいては取出口）が横長形状に形成されることが多いため、その切取部２２を閉塞し得る矩形状とすることが好ましい。
【００３７】
ウインドウフィルム１４は、例えば、接着剤や両面テープによる接着、熱融着等の方法によって、衛生用紙収納用カートン１の天面部２の内向面に貼り付けられる。
【００３８】
ウインドウフィルム１４には、衛生用紙を取り出すためのスリット１６が形成されている。このスリット１６により、衛生用紙収納用カートン１の開封後も衛生用紙収納用カートン１の内部に外部の塵や異物が侵入し難くなる。また、ポップアップした衛生用紙が衛生用紙収納用カートン１の内部空間に落ち込むことを防止することができる。
【００３９】
スリット１６の形状は特に限定されない。但し、図２に示すスリット１６のように直線状に形成されていることが好ましい。スリット１６の形成位置も特に限定されない。但し、衛生用紙収納用カートン１の取出口１８から外部空間に露出している部分（露出部）に形成されていることが好ましく、図１Ａ〜図１Ｄに示す衛生用紙収納用カートン１のスリット１６のように露出部の中央部に形成されていることが好ましい。このスリット１６と当該スリット１６近傍を含む領域が、ウインドウフィルム１４の中央領域３２であり、本実施形態の衛生用紙収納用カートン１においては、ウインドウフィルム１４の中央領域３２の曲げ剛性が、ウインドウフィルム１４の外周領域３４の天面部２の内向面に貼り付けられた部位の曲げ剛性に比して低くなっている。このため、衛生用紙を取り出す際に、ウインドウフィルム１４のスリット１６に指を差し込んだ時の抵抗が小さくなり、衛生用紙をウインドウフィルム１４のスリット１６から良好に取り出すことができる。例えば、ウインドウフィルム１４の中央領域３２を含めたウインドウフィルム１４全体の曲げ剛性を高くしてしまうと、ウインドウフィルム１４の垂れ下がりを防止することはできるものの、スリット１６に指を差し込んだ時の抵抗も大きくなり、衛生用紙の取り出しが困難になる。また、スリット１６から衛生用紙が引出される際に、衛生用紙が破けてしまうこともある。
【００４０】
また、取出口１８は横長形状に形成されることが多いため、スリット１６は、露出部の長手方向に沿う直線状に形成されていることが好ましい。
【００４１】
本実施形態の衛生用紙収納用カートン１においては、ウインドウフィルム１４の中央領域３２の曲げ剛性が相対的に低くなるように構成されたものであるが、例えば、取出口１８の内周縁の内側であって、スリット１６が形成された位置から、少なくとも２０ｍｍ以内の領域は、上述した曲げ剛性が高くなる部位に比して、曲げ剛性が低くなるように構成されていることが好ましい。更に、少なくとも１０ｍｍ以内の領域は、上述した曲げ剛性が高くなる部位に比して、曲げ剛性が低くなるように構成されていることが更に好ましい。このように構成することによって、スリット１６が形成された位置から一定の範囲内の領域の曲げ剛性が低くなり、衛生用紙の取り出しがより容易になる。なお、取出口１８の内周縁の内側であって、スリット１６が形成された位置から２０ｍｍ以内の領域におけるウインドウフィルム１４の曲げ剛性が低くなるように構成されている場合には、上記スリット１６が形成された位置から２０ｍｍ超の全ての領域が、当該曲げ剛性が低くなる領域（即ち、２０ｍｍ以内の領域）よりも、曲げ剛性が高いことが好ましい。
【００４２】
また、ウインドウフィルム１４は、天面部の内向面に貼り付けられた部位（即ち、ウインドウフィルム１４の接着部位）から、スリット１６が形成されている中央領域３２に向かう方向に、取出口１８の内周縁とスリット１６との間であって、少なくとも３０ｍｍ以上の領域の曲げ剛性が高くなっていてもよい。このように構成することによって、外周領域３４のうち、中央領域３２を取り囲む環状の領域の曲げ剛性が高くなり、ウインドウフィルム１４の変形（垂れ下がり）を有効に防止することができる。
【００４３】
ウインドウフィルム１４の曲げ剛性の高くなる領域については、例えば、以下の方法によって形成することができる。まず、第一の方法として、ウインドウフィルム１４の曲げ剛性を高くする領域に対して、熱ロールを用いて部分的に加熱してウインドウフィルム１４を部分的に硬化させる方法を挙げることができる。また、第二の方法として、ウインドウフィルム１４の曲げ剛性を高くする領域を、複数枚のフィルムを重ねた積層構造として、中央領域３２に比して相対的に曲げ剛性を高くする方法を挙げることができる。また、第３の方法として、ウインドウフィルム１４を部分的に厚肉に成形する方法を挙げることができる。このような方法により、スリット１６が形成された中央領域３２を囲う外周領域３４の少なくとも一部において、中央領域３２に比して曲げ剛性が高くなるように構成されたウインドウフィルム１４を簡便に作製することができる。
【００４４】
ウインドウフィルム１４は、中央領域３２に比して、少なくとも天面部の内向面に貼り付けられた部位の曲げ剛性が、５倍以上であることが好ましく、７〜１０倍であることが更に好ましい。天面部の内向面に貼り付けられた部位の曲げ剛性が、中央領域３２に比して、５倍未満であると、ウインドウフィルム１４の垂れ下がりを十分に抑制できないことがある。また、ウインドウフィルム１４の垂れ下がりを抑制するのに十分な曲げ剛性を付与した際に、中央領域３２の曲げ剛性もそれに比して高くなってしまうため、スリットから衛生用紙を取り出し難くなることがある。
【００４５】
（２）カートン入り衛生用紙：
次に、本発明のカートン入り衛生用紙の一の実施形態について説明する。本実施形態のカートン入り衛生用紙は、複数の衛生用紙が折り重ねられた衛生用紙束と、本発明の衛生用紙収納用カートンの一の実施形態（例えば、図１Ａ〜図１Ｄに示す衛生用紙収納用カートン１）とを備えたものである。このように、本実施形態のカートン入り衛生用紙は、衛生用紙収納用カートンの内部空間に、衛生用紙束が封入されたカートン入りの衛生用紙である。
【００４６】
「衛生用紙」とは、例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙を意味する（例えば、紙パルプ技術便覧第５版、第４５９頁参照、１９９２年１月３０日発行、紙パルプ技術協会編集・発行）。また、「衛生用紙」には、複数枚の衛生用紙が１組となったマルチプライ衛生用紙も含まれる。
【００４７】
「衛生用紙束」とは、複数の衛生用紙が折り重ねられた衛生用紙の束（集合体）である。折り重ねの構造については特に限定されない。但し、一の衛生用紙が折り畳まれ、その折り返し部分に他の衛生用紙が挟み込まれた状態で折り畳まれることによって、複数枚の衛生用紙が連続的に積層された構造の衛生用紙束であることが好ましい。このような構造の衛生用紙束は、最上層の衛生用紙を取り出すことにより、これに挟み込まれていた次層の衛生用紙の一部が取出口から突出し、衛生用紙の取り出しが容易なものとなる利点がある（いわゆるポップアップ方式）。
【００４８】
（３）製造方法：
次に、本実施形態のカートン入り衛生用紙の製造方法について説明する。カートン入り衛生用紙の製造方法の説明において、本実施形態の衛生用紙収納用カートンの製造方法も併せて説明する。
【００４９】
（３−１）カートンブランクの作製：
まず、衛生用紙収納用カートンは、図３Ａ及び図３Ｂに示すような、中間体としてカートンブランク１１２を用い、以下のような方法で製造することができる。
【００５０】
「カートンブランク１１２」とは、図３Ａ及び図３Ｂに示すカートンブランク１１２のように、紙材料からなり、天面部相当部１０２、底面部相当部１０４、一対の側面部相当部１０６及び少なくとも一対の妻面部相当部１０８を有し、天面部相当部１０２に取出口形成用切込線１０が形成された、衛生用紙収納用カートン１を形成するための中間体である。
【００５１】
本実施形態のカートン入り衛生用紙及び衛生用紙収納用カートンにおいては、「スリットが形成された中央領域の曲げ剛性に比して、この中央領域を囲う外周領域における、少なくとも天面部の内向面に貼り付けられる部位の曲げ剛性が高くなるように構成されたウインドウフィルム」が用いられるため、取出口形成用切込線１０によって囲われる切取部２２の大きさを、従来のカートンブランクに比して大きくすることができる。
【００５２】
「天面部相当部１０２」、「底面部相当部１０４」、「側面部相当部１０６」、「妻面部相当部１０８」とは、衛生用紙収納用カートン１に組み立てた際に衛生用紙収納用カートン１の天面部２、底面部４、側面部６、妻面部８となる部分である。なお、「少なくとも一対の妻面部相当部１０８」とは、複数対の妻面部相当部１０８によって妻面部８が形成される場合があることを意味する。例えば、図３Ａ及び図３Ｂに示すカートンブランク１１２は、一対の天面外フラップ１３０、一対の底面外フラップ１３２、二対の側面内フラップ１３４によって衛生用紙収納用カートン１の妻面部８を形成するものである。
【００５３】
（３−２）ウインドウフィルムの作製：
次に、ウインドウフィルム１４を作製する。ウインドウフィルム１４は、例えば、ポリエチレン、ポリプロピレン、ポリ塩化ビニル、ポリエステル、ポリビニルアルコール等のプラスチック；グラシン紙、クラフト紙、ケント紙、インディア紙等の印刷用紙、書道用紙、包装紙、加工原紙等の紙；等により作製することができる。
【００５４】
ウインドウフィルム１４は、スリット１６が形成された中央領域の曲げ剛性に比して、この中央領域を囲う外周領域における、少なくとも天面部２の内向面に貼り付けられる部位の曲げ剛性が高くなるものとする。例えば、ウインドウフィルム１４の材質が、上述したプラスチック等の場合には、ウインドウフィルム１４の天面部２の内向面に貼り付けられる部位に対して熱処理を施し、当該熱処理を施した部位を硬化させることが好ましい。これにより、ウインドウフィルム１４の天面部２の内向面に貼り付けられる部位の曲げ剛性を高くすることができる。また、ウインドウフィルム１４の曲げ剛性を高くする領域を、複数枚のフィルムを重ねた積層構造として、相対的に曲げ剛性を高くしてもよい。上述した積層構造を採用する場合は、プラスチックからなるウインドウフィルム１４、及び紙からなるウインドウフィルム１４の双方に対して有効である。
【００５５】
（３−３）窓貼り工程：
窓貼り工程は、カートンブランク１１２における天面部相当部１０２の内向面に、切取部相当部を覆うようにウインドウフィルム１４を貼り付ける工程である。図３Ａ及び図３Ｂに示すカートンブランク１１２は、カートンブランク１１２の天面部相当部１０２における内向面に接着剤塗工部１３６を介してウインドウフィルム１４が貼り付けられている。
【００５６】
例えば、ウインドウフィルム１４を貼り付ける方法としては、例えば、ホットメルト等の接着剤を、天面部相当部１０２における内向面の接着剤塗工部１３６に塗布し、接着剤塗工部１３６を介してウインドウフィルム１４を貼り付ける方法を挙げることができる。
【００５７】
図３Ａ及び図３Ｂに示すカートンブランク１１２においては、ウインドウフィルム１４の四つ角に、Ｌ字型の接着剤塗工部１３６がそれぞれ形成され、更に、ウインドウフィルム１４の長手方向の両側縁側に、直線状の接着剤塗工部１３６がそれぞれ２箇所ずつ形成されている。なお、ウインドウフィルム１４の曲げ剛性が高くなるように構成された部位が、上記接着剤塗工部１３６を介して、天面部相当部１０２における内向面に貼り付けられることとなる。
【００５８】
（３−４）角筒状カートン組立工程：
角筒状カートン組立工程は、図４Ａに示すように、カートンブランク１１２を折り曲げて接合することにより、角筒状カートン１３８に組み立てる工程である。
【００５９】
「角筒状カートン１３８」とは、天面部相当部１０２、底面部相当部１０４及び一対の側面部相当部１０６を四面とし、当該四面で包囲された内部空間が形成された構造体である。「角筒状カートン１３８」には、一方の妻面部相当部１０８が折り曲げられて接合され、一方の端部開口部が閉鎖されているものも含まれる。
【００６０】
例えば、図３Ａ及び図３Ｂに示すカートンブランク１１２は、側面部相当部１０６の端縁からは折り曲げ線を介して側面内フラップ１３４が延出され、天面部相当部１０２の端縁からは折り曲げ線を介して天面外フラップ１３０が延出され、底面部相当部１０４の端縁からは折り曲げ線を介して底面外フラップ１３２が延出されている。更に、底面部相当部１０４の一の側縁からは折り曲げ線を介して側面接合代１４０が延出されている。
【００６１】
このようなカートンブランク１１２は、各折り曲げ線を折り曲げ、側面接合代１４０と側面部相当部１０６を接合することにより角筒状カートン１３８に組み立てることができる。
【００６２】
「角筒状カートン１３８」は、妻面部相当部１０８が接合されておらず、端部開口部が形成されている。次工程の衛生用紙束挿入工程においては、この端部開口部から衛生用紙束１４２を挿入する。なお、ここにいう「角筒状カートン１３８」には、一方の妻面部相当部１０８が折り曲げられて接合され、一方の端部開口部が閉鎖されているものも含まれる。
【００６３】
（３−５）衛生用紙束挿入工程：
衛生用紙束挿入工程は、図４Ｂに示すように角筒状カートン１３８の端部開口部から、衛生用紙束１４２を挿入する工程である。
【００６４】
（３−６）カートン組立工程：
カートン組立工程は、図４Ｃに示すように角筒状カートン１３８の妻面部相当部１０８を折り曲げて接合し、角筒状カートン１３８の端部開口部を閉鎖し、衛生用紙収納用カートン１を組み立てる工程である。
【００６５】
例えば、図４Ｃに示す角筒状カートン１３８は、側面内フラップ１３４を折り曲げ、底面外フラップ１３２と天面外フラップ１３０を折り曲げた後、接合することで、一対の妻面部を形成することができる。こうすることにより、角筒状カートンを、図１Ａ〜図１Ｄに示すような天面部２、底面部４、一対の側面部６（６ａ，６ｂ）及び一対の妻面部８（８ａ，８ｂ）を有する衛生用紙収納用カートン１に組み立てることができる。
【産業上の利用可能性】
【００６６】
本発明の衛生用紙収納用カートンは、ティシュペーパー、キッチンタオル等の衛生用紙を収納するためのカートンとして好適に用いることができる。
【符号の説明】
【００６７】
１：衛生用紙収納用カートン、２：天面部、４：底面部、６，６ａ，６ｂ：側面部、８，８ａ，８ｂ：妻面部、１０：取出口形成用切込線、１２：カートン本体、１４：ウインドウフィルム、１６：スリット、１８：取出口、２２：切取部、３２：中央領域、３４：外周領域、１０２：天面部相当部、１０４：底面部相当部、１０６：側面部相当部、１０８：妻面部相当部、１１２：カートンブランク、１３０：天面外フラップ、１３２：底面外フラップ、１３４：側面内フラップ、１３６：接着剤塗工部、１３８：角筒状カートン、１４０：側面接合代、１４２：衛生用紙束。
【図１Ａ】
2014005064.tif 000003
【図１Ｂ】
2014005064.tif 000004
【図１Ｃ】
2014005064.tif 000005
【図１Ｄ】
2014005064.tif 000006
【図２】
2014005064.tif 000007
【図３Ａ】
2014005064.tif 000008
【図３Ｂ】
2014005064.tif 000009
【図４Ａ】
2014005064.tif 000010
【図４Ｂ】
2014005064.tif 000011
【図４Ｃ】
2014005064.tif 000012